(57)【要約】【課題】コンパクトなベルト取付治具を提供する。【解決手段】ベルト取付治具６は、クランクプーリ２の外周上に配置され、上記Ｖリブドベルト４が掛けられて、このＶリブドベルト４の張力によってクランクプーリ２の外周に対して押圧される、プーリ押圧部７と、このプーリ押圧部７に掛けられた上記Ｖリブドベルト４のうちクランクプーリ２の外周上から外れている部分４ａを引っ掛けて保持する、ベルト保持部８と、クランクプーリ２の外周に対して対向するように配置され、上記プーリ押圧部７に掛けられた上記Ｖリブドベルト４のうちクランクプーリ２の外周上に沿わせている部分４ｂをクランクプーリ２の外周に対して押圧する、ベルト押さえ部９と、を備える。【選択図】図７
2010249312.tif 000002
【特許請求の範囲】
【請求項１】
第一プーリと第二プーリの間に、周長方向に伸縮可能なベルトを、前記第一プーリと前記第二プーリの軸間距離を固定したまま掛巻するに際し、前記第一プーリの外周に設置して使用する、ベルト取付治具であって、
前記第一プーリの外周上に配置され、上記ベルトが掛けられて、このベルトの張力によって前記第一プーリの外周に対して押圧される、プーリ押圧部と、
このプーリ押圧部に掛けられた上記ベルトのうち前記第一プーリの外周上から外れている部分を引っ掛けて保持する、ベルト保持部と、
前記第一プーリの外周に対して対向するように配置され、上記プーリ押圧部に掛けられた上記ベルトのうち前記第一プーリの外周上に沿わせている部分を前記第一プーリの外周に対して押圧する、ベルト押さえ部と、
を備えたベルト取付治具。
【請求項２】
請求項１に記載のベルト取付治具であって、
前記プーリ押圧部は、前記第一プーリ側に、前記プーリ押圧部と前記第一プーリの外周との間の摩擦力を向上するための摩擦部材を有する、
ことを特徴とする、ベルト取付治具。
【請求項３】
請求項１に記載のベルト取付治具であって、
前記プーリ押圧部は、前記第一プーリ側に、前記第一プーリが外周に有するプーリ溝に対して嵌合する嵌合突起を有する、
ことを特徴とする、ベルト取付治具。
【請求項４】
請求項１に記載のベルト取付治具であって、
前記第一プーリは、プーリ溝と、このプーリ溝よりプーリ径方向外側へ突出するプーリフランジと、を外周に有し、
前記プーリ押圧部は、前記第一プーリ側に、プーリ軸方向において前記プーリフランジと当接可能なフランジ当接部を有する、
ことを特徴とする、ベルト取付治具。
【請求項５】
請求項４に記載のベルト取付治具であって、
前記フランジ当接部は、折り曲げ加工により形成される、
ことを特徴とする、ベルト取付治具。
【請求項６】
請求項１〜５の何れかに記載のベルト取付治具であって、
前記第一プーリの各側面に対して当接する一対の当接部を更に備えた、
ことを特徴とする、ベルト取付治具。
【請求項７】
請求項１〜５の何れかに記載のベルト取付治具であって、
前記第一プーリの片側面に対して当接する一対の当接部を更に備えた、
ことを特徴とする、ベルト取付治具。
【請求項８】
第一プーリと第二プーリの間に、周長方向に伸縮可能なベルトを、前記第一プーリと前記第二プーリの軸間距離を固定したまま掛巻するベルト取付方法であって、
請求項１〜７の何れかに記載のベルト取付治具を以下のように用いる、
ことを特徴とする、ベルト取付方法。
（ａ）上記ベルトを前記第二プーリに掛巻すると共に、上記ベルトが、前記プーリ押圧部のプーリ径方向外側から前記ベルト押さえ部のプーリ径方向内側を通過し、更に、前記ベルト保持部に引っ掛けられた状態となるように、上記のベルト取付治具を前記第一プーリの外周に設置する。
（ｂ）前記第一プーリの外周に上記ベルトが掛巻される掛巻角度が大きくなるように、前記第一プーリを回転させる。
【発明の詳細な説明】
【技術分野】
【０００１】
本発明は、ベルト取付治具と、このベルト取付治具を用いたベルト取付方法に関する。
【背景技術】
【０００２】
この種の技術として特許文献１は、手前側プーリと奥側プーリとがプーリ軸の軸方向に並設された二段掛けプーリのうち、奥側プーリのプーリ溝に周長方向に伸縮可能なベルトを取り付けるためのベルト取付治具であって、手前側プーリフランジの更に手前側でベルトの内側を引っ掛ける導入部と、手前側プーリの外周側を覆い前記導入部から導いたベルトを奥側プーリのプーリ溝まで案内する差渡しガイドと、ベルトの浮き上がりを押さえる押さえ片と、を備え、これらの導入部、差渡しガイド、押さえ片を二段掛けプーリに取り付けるための取付部を設けた構成を開示する。
【先行技術文献】
【特許文献】
【０００３】
【特許文献１】特開２００７−１２０６７８号公報
【発明の概要】
【発明が解決しようとする課題】
【０００４】
一般に、この種の技術分野では、プーリに対するベルト取付治具の姿勢の安定を如何にして実現するかがポイントとなってくる。この点、上記文献１では、取付部がプーリに対して連結されることで、上記の姿勢の安定が極めて高いレベルで実現されるようになっており、従って、この取付部は欠かすことのできないものとして扱われている。
【０００５】
しかし、上記文献１の構成では、取付部の存在により、ベルト取付治具自体が著しく大きくなってしまい、コンパクト化への改善が望まれていた。
【０００６】
本発明は斯かる諸点に鑑みてなされたものであり、その主な目的は、上記の取付部のない、コンパクトなベルト取付治具を提供することにある。
【課題を解決するための手段及び効果】
【０００７】
本発明の解決しようとする課題は以上の如くであり、本願発明者らは、上記の取付部を取り除いても、プーリに対するベルト取付治具の姿勢の安定を実現できるアイデアを見出し、以下の発明を完成させた。
【０００８】
本願発明の観点によれば、第一プーリと第二プーリの間に、周長方向に伸縮可能なベルトを、前記第一プーリと前記第二プーリの軸間距離を固定したまま掛巻するに際し、前記第一プーリの外周に設置して使用する、ベルト取付治具は、以下のように構成される。即ち、ベルト取付治具は、前記第一プーリの外周上に配置され、上記ベルトが掛けられて、このベルトの張力によって前記第一プーリの外周に対して押圧される、プーリ押圧部と、このプーリ押圧部に掛けられた上記ベルトのうち前記第一プーリの外周上から外れている部分を引っ掛けて保持する、ベルト保持部と、前記第一プーリの外周に対して対向するように配置され、上記プーリ押圧部に掛けられた上記ベルトのうち前記第一プーリの外周上に沿わせている部分を前記第一プーリの外周に対して押圧する、ベルト押さえ部と、を備える。
【０００９】
上記のベルト取付治具は、以下のようにして用いる。即ち、先ず、上記ベルトを前記第二プーリに掛巻すると共に、上記ベルトが、前記プーリ押圧部のプーリ径方向外側から前記ベルト押さえ部のプーリ径方向内側を通過し、更に、前記ベルト保持部に引っ掛けられた状態となるように、前記ベルト取付治具を前記第一プーリの外周上に設置する。次に、前記第一プーリの外周に上記ベルトが掛巻される掛巻角度が大きくなるように、前記第一プーリを回転させる。すると、前記ベルトには、伸張されることにより高い張力が発生する。この張力は、上記ベルトが前記プーリ押圧部のプーリ径方向外側を通過しているので前記プーリ押圧部を前記第一プーリの外周に対して押圧する押圧作用として働く。継続して前記第一プーリを同一方向に回転させると、前記ベルト保持部に引っ掛けられている上記ベルトが前記ベルト保持部を離れて前記第一プーリの外周上へと移動する。この移動後、前記ベルト取付治具を回収する。
【００１０】
このように、前記のプーリ押圧部は、上記ベルトの高い張力を利用して前記ベルト取付治具を前記第一プーリの外周に対して強力に固定する機能を発揮する。また、前記ベルト保持部と前記ベルト押さえ部の存在により上記ベルトは問題なく前記プーリ押圧部のプーリ径方向外側に位置することとなるので、前記ベルト保持部と前記ベルト押さえ部は、上記の前記ベルト取付治具を前記第一プーリの外周に対して強力に固定する機能を安定して発揮させる役割を担っている。
【００１１】
以上のアイデアによれば、コンパクトなベルト取付治具を提供することができる。
【００１２】
なお、上記文献１のベルト取付治具では、取付部がプーリに対して連結されることでプーリに対するベルト取付治具の固定が実現されている。これに対し、本願のベルト取付治具では、前記のプーリ押圧部とベルト保持部、ベルト押さえ部の協同によってプーリに対するベルト取付治具の姿勢の安定が図られている。このように、プーリに対するベルト取付治具の姿勢の安定を実現するためのコンセプトは両者で全く異なるが、本願のベルト取付治具は、上記文献１のベルト取付治具によって実現されるのと同程度の姿勢の安定が達成できる。
【００１３】
付言するならば、上記文献１に係るベルト取付治具は、差渡しガイドにベルトが掛けられた状態でも、ボス部とアームの存在により、差渡しガイドはプーリの外周に対して全く押圧されない。この点、上記文献１に係るベルト取付治具は、本願発明の技術的範囲には含まれない。
【００１４】
本願のベルト取付治具は、更に、以下のように構成される。即ち、前記プーリ押圧部は、前記第一プーリ側に、前記プーリ押圧部と前記第一プーリの外周との間の摩擦力を向上するための摩擦部材を有する。以上の構成によれば、前記プーリ押圧部と前記第一プーリの外周との間の摩擦力が向上するので、前記第一プーリに対する前記ベルト取付治具の位置ズレを高いレベルで抑制することができる。
【００１５】
本願のベルト取付治具は、更に、以下のように構成される。即ち、前記プーリ押圧部は、前記第一プーリ側に、前記第一プーリが外周に有するプーリ溝に対して嵌合する嵌合突起を有する。以上の構成によれば、前記第一プーリに対する前記ベルト取付治具の位置ズレを高いレベルで抑制することができる。
【００１６】
本願のベルト取付治具は、更に、以下のように構成される。即ち、前記第一プーリは、プーリ溝と、このプーリ溝よりプーリ径方向外側へ突出するプーリフランジと、を外周に有する。前記プーリ押圧部は、前記第一プーリ側に、プーリ軸方向において前記プーリフランジと当接可能なフランジ当接部を有する。以上の構成によれば、前記第一プーリに対する前記ベルト取付治具のプーリ軸方向における位置ズレを高いレベルで抑制することができる。
【００１７】
本願のベルト取付治具は、更に、以下のように構成される。即ち、前記フランジ当接部は、折り曲げ加工により形成される。以上の構成によれば、前記フランジ当接部を低コストで形成することができる。
【００１８】
本願のベルト取付治具は、更に、以下のように構成される。即ち、前記第一プーリの各側面に対して当接する一対の当接部を更に備えた。以上の構成によれば、前記第一プーリの外周に対する前記ベルト取付治具の位置決めが高いレベルで実現される。
【００１９】
本願のベルト取付治具は、更に、以下のように構成される。即ち、前記第一プーリの片側面に対して当接する一対の当接部を更に備えた。以上の構成によれば、一対の当接部が、前記第一プーリの片側面に対して当接することで、前記第一プーリの外周に対する前記ベルト取付治具の前記第一プーリ軸方向における位置決めが実現される。また、一対の当接部が、前記第一プーリの片側面にだけ当接するように構成されている。このため、本願のベルト取付治具は、前記第一プーリの前記第一プーリ軸方向の幅が前記プーリ押圧部及び前記ベルト押さえ部の前記第一プーリ軸方向の幅よりもある程度大きいものでも利用が可能となる。即ち、ベルト取付治具の汎用性を高めることができる。
【００２０】
本願発明の他の観点によれば、第一プーリと第二プーリの間に、周長方向に伸縮可能なベルトを、前記第一プーリと前記第二プーリの軸間距離を固定したまま掛巻するベルト取付は、以下のような方法で行われる。即ち、上記のベルト取付治具を以下のように用いる。（ａ）上記ベルトを前記第二プーリに掛巻すると共に、上記ベルトが、前記プーリ押圧部のプーリ径方向外側から前記ベルト押さえ部のプーリ径方向内側を通過し、更に、前記ベルト保持部に引っ掛けられた状態となるように、上記のベルト取付治具を前記第一プーリの外周に設置する。（ｂ）前記第一プーリの外周に上記ベルトが掛巻される掛巻角度が大きくなるように、前記第一プーリを回転させる。以上の方法によれば、上記文献１の構成で要求される取付部の取り付け作業のような難解な作業をすることなく、前記の第一プーリと第二プーリの間に前記ベルトを掛巻できる。
【図面の簡単な説明】
【００２１】
【図１】エンジン本体の部分斜視図
【図２】第一プーリの断面図
【図３】ベルト取付治具の斜視図
【図４】ベルト取付治具の六面図
【図５】第一プーリの外周にベルト取付治具が設置された状態を示す図
【図６】第一プーリの外周にベルト取付治具が設置された状態を、図５と別の角度から示す図
【図７】第一プーリの外周にベルト取付治具が設置され、ベルトがセットされた状態を示す図
【図８】ベルト取付治具の使用方法の第一説明図
【図９】図８の９線矢視図であって、ベルト取付治具の使用方法の第二説明図
【図１０】ベルト取付治具の使用方法の第三説明図
【図１１】ベルト取付治具の使用方法の第四説明図
【図１２】ベルト取付治具の使用方法の第五説明図
【図１３】図１２の１３線矢視図であって、ベルト取付治具の使用方法の第六説明図
【図１４】ベルト取付治具の使用方法の第七説明図
【図１５】図７（ｂ）に類似する図であって、本願発明の第二実施形態を示す図
【図１６】図７（ｂ）に類似する図であって、本願発明の第三実施形態を示す図
【図１７】本願発明の第四実施形態に係るベルト取付治具の斜視図
【図１８】第一プーリの外周に本願発明の第四実施形態に係るベルト取付治具が設置された状態を示す図
【図１９】第一プーリの外周に本願発明の第四実施形態に係るベルト取付治具が設置され、ベルトがセットされた状態を示す図
【図２０】本願発明の第四実施形態に係るベルト取付治具の使用方法の説明図
【図２１】本願発明の第五実施形態に係るベルト取付治具の斜視図
【図２２】第一プーリの外周に本願発明の第五実施形態に係るベルト取付治具が設置された状態を示す図
【図２３】本願発明の第六実施形態に係るベルト取付治具の斜視図
【図２４】第一プーリの外周に本願発明の第六実施形態に係るベルト取付治具が設置された状態を示す図
【図２５】本願発明の第七実施形態に係るベルト取付治具の斜視図
【図２６】第一プーリの外周に本願発明の第七実施形態に係るベルト取付治具が設置された状態を示す図
【図２７】本願発明の第八実施形態に係るベルト取付治具の斜視図
【図２８】第一プーリの外周に本願発明の第八実施形態に係るベルト取付治具が設置された状態を示す図
【発明を実施するための形態】
【００２２】
（第一実施形態）
以下、図面を参照しつつ、本願発明の第一実施形態を説明する。本実施形態に係るベルト取付治具は、クランクプーリとオルタネータのオルタネータプーリとの間にＶリブドベルトを掛巻するのに用いている。先ず、図１を参照しつつ、クランクプーリとオルタネータプーリに対するＶリブドベルトの掛巻を説明し、図２を参照しつつ、クランクプーリの構造を説明する。
【００２３】
図１に示されるように、エンジン本体１には、エンジンのクランク軸に連結されるクランクプーリ２（第一プーリ）と、オルタネータの入力軸に連結されるオルタネータプーリ３（第二プーリ）と、が所定の軸間距離を隔てて回転自在に支持される。このクランクプーリ２とオルタネータプーリ３との間には、実線と破線で示すＶリブドベルト４が掛巻され、もって、クランク軸の動力が、クランクプーリ２、Ｖリブドベルト４、オルタネータプーリ３を順に介してオルタネータの入力軸に伝動されるようになっている。本実施形態では、クランクプーリ２とオルタネータプーリ３との間の軸間距離は変更不能とされ、また、図示するように、Ｖリブドベルト４に対して張力を付与する所謂オートテンショナ（張力付与手段）は搭載しない。
【００２４】
図２に示すように、クランクプーリ２は、Ｖリブドベルト４の内周に形成されるリブと嵌合可能なプーリ溝２ａを有し、このプーリ溝２ａをプーリ軸方向で挟む一対のプーリフランジ２ｂを備えている。このプーリフランジ２ｂは、図２の断面視で、上記プーリ溝２ａよりプーリ径方向外側へ若干、突出して形成されている。また、クランクプーリ２のボス部５には、エンジンの図示しないクランク軸が挿入される。符号２ｃは、クランクプーリ２の側面を示す。なお、上記のＶリブドベルト４は、その周長方向において若干伸縮可能な所謂低モジュラスベルトである。
【００２５】
なお、図１の太線矢印はＶリブドベルト４の走行方向を示し、この走行方向にＶリブドベルト４が走行するときのクランクプーリ２の回転方向を第一回転方向Ａと、この第一回転方向Ａと反対の方向を第二回転方向Ｂと、定義する。
【００２６】
次に、図３〜６を参照しつつ、本実施形態に係るベルト取付治具の構成を説明する。図３（ａ）〜（ｄ）は、夫々、ベルト取付治具６を異なる方向から見た斜視図である。図４（ａ）はベルト取付治具６の正面図である。図４（ｂ）はベルト取付治具６の平面図である。図４（ｃ）はベルト取付治具６の底面図である。図４（ｄ）はベルト取付治具６の左側面図である。図４（ｅ）はベルト取付治具６の右側面図である。図４（ｆ）はベルト取付治具６の背面図である。このように図３〜４には、コンパクトであってまとまりよく形成されたベルト取付治具６が様々な方向から描かれている。
【００２７】
図５〜６に示されるように、このベルト取付治具６は、プーリ押圧部７と、ベルト保持部８と、ベルト押さえ部９と、を主たる構成として備える。このベルト取付治具６は、更に、第一当接部１０（当接部）と、第二当接部１１（当接部）と、を備える。このベルト取付治具６は、クランクプーリ２の外周に設置して使用するものであって、図５に示すように、ベルト保持部８がプーリ押圧部７よりも第一回転方向Ａ側となりベルト押さえ部９がプーリ押圧部７よりも第二回転方向Ｂ側となるように向きを定めて用いる。以下、説明の便宜上、図１で定義した第一回転方向Ａと第二回転方向Ｂを適宜に用いて説明を行う。即ち、図５〜６における符号Ａ、Ｂは、図１に示されるクランクプーリ２の第一回転方向Ａ、第二回転方向Ｂに夫々、対応している。
【００２８】
上記のプーリ押圧部７やベルト保持部８、ベルト押さえ部９は、図５に示すように、プーリ周方向に延びる連結部１２によって相互に連結されている。この連結部１２は、プーリ径方向においてクランクプーリ２とは重複せず、プーリ軸方向においてクランクプーリ２と隣接する位置で円弧状に板金形成されて成る。なお、図５の状態にベルトを追加したものを図７（ａ）に示すので、以降にＶリブドベルト４に関する記述が出てきたときは、適宜、図７（ａ）も併せて参照されたい。
【００２９】
上記のプーリ押圧部７は、クランクプーリ２の外周（プーリ溝２ａに相当する。以下同様。）上に配置され、上記Ｖリブドベルト４が掛けられて、このＶリブドベルト４の張力によってクランクプーリ２の外周に対して押圧されるものである。このプーリ押圧部７は、図６（ｂ）に示すように、上記の連結部１２と一体的に形成された板部７ａと、この板部７ａのクランクプーリ２側に設けられ、プーリ押圧部７とクランクプーリ２の外周との間の摩擦力を向上するための摩擦部材７ｂと、を備えて構成される。摩擦部材７ｂは、板部７ａに対して溶接固定されており、クランクプーリ２の外周に対する接触面積を十分に確保すべく円弧状に形成され、その内周面は平坦とされ、プーリ溝２ａの幅に相当する幅を有する（図７（ｂ）も併せて参照。）。この摩擦部材７ｂは、例えば、適宜の表面処理が施された金属材料や、ゴム、ポリウレタン等のエラストマー、ポリエチレンやポリアミド等の合成樹脂で形成されるのが好ましい。
【００３０】
上記のベルト保持部８は、上記のプーリ押圧部７に掛けられたＶリブドベルト４のうちクランクプーリ２の外周上から外れている部分４ａ（図７（ａ）参照）を引っ掛けて保持するものである。このベルト保持部８は、図５に示すように連結部１２の第一回転方向Ａ側端部に配置され、連結部１２と一体的に形成されている。このベルト保持部８の更に第一回転方向Ａ側端部には、上述した第一当接部１０がベルト保持部８と一体的に形成されている。そして、ベルト保持部８と第一当接部１０は、プーリ軸方向からみたとき、クランクプーリ２の外周から内周へ向かって半円の円弧を描くように湾曲しており、この湾曲は第一回転方向Ａ方向に向かって凸となっている。
【００３１】
上記のベルト押さえ部９は、クランクプーリ２の外周に対して対向するように配置され、上記プーリ押圧部７に掛けられた上記Ｖリブドベルト４のうちクランクプーリ２の外周上に沿わせている部分４ｂ（図７（ａ）参照）をクランクプーリ２の外周に対して押圧するものである。このベルト押さえ部９は、図５に示すように連結部１２の第二回転方向Ｂ側端部に配置されており、図６（ａ）に示すように、連結部１２と一体的に形成された板部９ａと、この板部９ａのクランクプーリ２側に設けられる肉盛り部９ｂと、を備えて構成される。肉盛り部９ｂは、板部９ａに溶接固定されており、プーリ幅に相当する幅を有する。また、図６（ａ）に示すように、ベルト押さえ部９（肉盛り部９ｂ）とクランクプーリ２の外周との間にはＶリブドベルト４の厚みに相当する間隙Ｓが確保されており、この間隙ＳにＶリブドベルト４が挿入されるようになっている。本実施形態において間隙Ｓは、図６（ｂ）に示すようにプーリ押圧部７の摩擦部材７ｂをクランクプーリ２の外周に密着させた状態でＶリブドベルト４のベルト厚みよりも若干薄くなるように調整されており、もって、ベルト取付治具６の使用時、ベルト押さえ部９はＶリブドベルト４をクランクプーリ２の外周に対して強力に押圧するようになっている。また、図５に示すように、プーリ押圧部７とベルト押さえ部９の間には間隙Ｕが確保されており、もって、図７に示すように、プーリ押圧部７のプーリ径方向外側に掛けられたＶリブドベルト４はベルト押さえ部９のプーリ径方向内側に潜り込むことができるようになっている。また、このベルト押さえ部９の連結部１２と反対側の端部には、図６（ｂ）に示すように、上記の第二当接部１１が形成されている。この第二当接部１１は、ベルト押さえ部９の板部９ａと一体的に形成されており、クランクプーリ２の側面２ｃと面接触できるようにベルト押さえ部９の板部９ａに対して直角の関係となっている。
【００３２】
以上に説明したように、本実施形態では、第一当接部１０とベルト保持部８、連結部１２、プーリ押圧部７の板部７ａ、ベルト押さえ部９の板部９ａ、第二当接部１１は、鉄鋼板材を板金加工によって一体的に形成しており、そこに、プーリ押圧部７の摩擦部材７ｂやベルト押さえ部９の肉盛り部９ｂが溶接されることでベルト取付治具６が構成されている。
【００３３】
また、上記の説明では、ベルト保持部８と第一当接部１０を別部材として取り扱ったが、両者の明確な境界線は特に存在しないことに留意されたい。
【００３４】
また、図６（ａ）及び（ｂ）に示すように、第一当接部１０と第二当接部１１は、クランクプーリ２をプーリ軸方向において挟み、これら第一当接部１０と第二当接部１１がクランクプーリ２の各側面２ｃに当接することで、クランクプーリ２の外周に対するベルト取付治具６のプーリ軸方向における高度な位置決めが実現されている。
【００３５】
また、図６（ｂ）に示すように、ベルト取付治具６をプーリ径方向でみたとき、プーリ押圧部７と連結部１２、ベルト押さえ部９によってプーリ軸方向に開口するＵ字形状が認められる。以降の説明において、このＵ字形状の底に該当する連結部１２の縁は、符号１２ａを付して称することとする。図７に示すように、この縁１２ａは、クランクプーリ２の外周からプーリ軸方向にズレた位置にあるＶリブドベルト４をクランクプーリ２の外周へと導くようになっており、従って、Ｖリブドベルト４は連結部１２の縁１２ａに対して高い圧力で当接することとなる。
【００３６】
＜使用方法＞
次に、図７〜図１４を参照しつつ、上記のベルト取付治具６の使用方法を説明する。先ず、図８及び図９に示されるように、クランクプーリ２のボス部５にレンチ１３の円筒形状である連結部１３ａを連結し、クランクプーリ２を手動で自由に回転できるようにしておく。
【００３７】
＜手順（ａ）＞
次に、図８及び図９に示すように、上記Ｖリブドベルト４をオルタネータプーリ３に掛巻すると共に、上記Ｖリブドベルト４が、図７（ａ）に示すように、プーリ押圧部７のプーリ径方向外側からベルト押さえ部９のプーリ径方向内側を通過し、更に、ベルト保持部８に引っ掛けられた状態となるように、ベルト取付治具６をクランクプーリ２の外周に設置する。このとき、図７（ｂ）に示すように、前記の摩擦部材７ｂは、プーリ径方向においてはプーリ溝２ａと当接し、プーリ軸方向においては一対のプーリフランジ２ｂに挟まれる関係とする。摩擦部材７ｂがプーリ軸方向において一対のプーリフランジ２ｂに挟まれるという上記関係は、ベルト取付治具６のプーリ軸方向における位置決めと位置ズレ防止に寄与する。なお、このとき、レンチ１３の柄がベルト取付治具６とクランクプーリ２の中心を挟んで反対側に位置するようにすると上記の作業がやり易い。
【００３８】
上記の状態で、Ｖリブドベルト４は、図７に示すように、ベルト保持部８からプーリ押圧部７を介してベルト押さえ部９に至るに際し、プーリ径方向で見てクランクプーリ２の外周とは平行でない斜めの経路を採る。また、図９に示すように、Ｖリブドベルト４は、クランクプーリ２の側面２ｃに対して符号ｐで示す二箇所で当接する。
【００３９】
＜手順（ｂ）＞
次に、図１０に示すように、クランクプーリ２の外周に上記Ｖリブドベルト４が直接的に掛巻される掛巻角度θが大きくなるように、レンチ１３を用いてクランクプーリ２を第一回転方向Ａに回転させる。
【００４０】
すると、Ｖリブドベルト４には、図７（ａ）に示すように、伸張されることにより高い張力Ｔが発生する。この張力Ｔは、上記Ｖリブドベルト４が図示の通りプーリ押圧部７のプーリ径方向外側を通過しているので、図７（ｂ）において白抜き矢印で示すように、プーリ押圧部７をクランクプーリ２の外周に対して強力に押圧する押圧作用として働く。
【００４１】
継続してクランクプーリ２を同一方向に回転させると、Ｖリブドベルト４とクランクプーリ２の側面２ｃとの上述した当接関係がベルト保持部８によって強制的に解除され、図１１において破線と実線で示すように、ベルト保持部８に引っ掛けられて保持されていた上記Ｖリブドベルト４は、自己の張力によってベルト保持部８を離れ、クランクプーリ２の外周上へと自発的に移動する。
【００４２】
更にクランクプーリ２を同一方向に回転させると、図１２及び図１３に示すように、プーリ押圧部７がＶリブドベルト４とクランクプーリ２の外周によって挟持される関係が消失し、例えば図１３に示すように、ベルト取付治具６はクランクプーリ２の外周から離脱可能となる。更にクランクプーリ２を同一方向に回転させると、ベルト取付治具６は、図１４に示すように、Ｖリブドベルト４にぶら下がった状態でクランクプーリ２からオルタネータプーリ３へ向かって吐き出される。ベルト取付治具６は、このとき回収すればよい。
【００４３】
（まとめ）
（請求項１）
以上説明したように、本実施形態に係るベルト取付治具６は、以下のように構成される。即ち、ベルト取付治具６は、クランクプーリ２の外周上に配置され、上記Ｖリブドベルト４が掛けられて、このＶリブドベルト４の張力によってクランクプーリ２の外周に対して押圧される、プーリ押圧部７と、このプーリ押圧部７に掛けられた上記Ｖリブドベルト４のうちクランクプーリ２の外周上から外れている部分４ａを引っ掛けて保持する、ベルト保持部８と、クランクプーリ２の外周に対して対向するように配置され、上記プーリ押圧部７に掛けられた上記Ｖリブドベルト４のうちクランクプーリ２の外周上に沿わせている部分４ｂをクランクプーリ２の外周に対して押圧する、ベルト押さえ部９と、を備える。
【００４４】
上記のベルト取付治具６は、説明が重複するが、以下のようにして用いる。即ち、先ず、上記Ｖリブドベルト４をオルタネータプーリ３に掛巻すると共に、上記Ｖリブドベルト４が、前記プーリ押圧部７のプーリ径方向外側から前記ベルト押さえ部９のプーリ径方向内側を通過し、更に、前記ベルト保持部８に引っ掛けられた状態となるように、前記ベルト取付治具６をクランクプーリ２の外周上に設置する。次に、クランクプーリ２の外周に上記Ｖリブドベルト４が掛巻される掛巻角度θが大きくなるように、クランクプーリ２を回転させる。すると、前記Ｖリブドベルト４には、伸張されることにより高い張力Ｔが発生する。この張力Ｔは、上記Ｖリブドベルト４が前記プーリ押圧部７のプーリ径方向外側を通過しているので前記プーリ押圧部７をクランクプーリ２の外周に対して押圧する押圧作用として働く。継続してクランクプーリ２を同一方向に回転させると、前記ベルト保持部８に引っ掛けられている上記Ｖリブドベルト４が前記ベルト保持部８を離れてクランクプーリ２の外周上へと移動する。この移動後、前記ベルト取付治具６を回収する。
【００４５】
このように、前記のプーリ押圧部７は、上記Ｖリブドベルト４の高い張力Ｔを利用して前記ベルト取付治具６をクランクプーリ２の外周に対して強力に固定する機能を発揮する。また、前記ベルト保持部８と前記ベルト押さえ部９の存在により上記Ｖリブドベルト４は問題なく前記プーリ押圧部７のプーリ径方向外側に位置することとなるので、前記ベルト保持部８と前記ベルト押さえ部９は、上記の前記ベルト取付治具６をクランクプーリ２の外周に対して強力に固定する機能を安定して発揮させる役割を担っている。
【００４６】
以上のアイデアによれば、コンパクトなベルト取付治具６を提供することができる。
【００４７】
（請求項２）
上記のベルト取付治具６は、更に、以下のように構成される。即ち、前記プーリ押圧部７は、クランクプーリ２側に、前記プーリ押圧部７とクランクプーリ２の外周との間の摩擦力を向上するための摩擦部材７ｂを有する。以上の構成によれば、前記プーリ押圧部７とクランクプーリ２の外周との間の摩擦力が向上するので、クランクプーリ２に対する前記ベルト取付治具６の位置ズレを高いレベルで抑制することができる。
【００４８】
なお、図７（ｂ）に示した前述の押圧作用は、上記の摩擦力をダイレクトに増大させる機能も発揮している。
【００４９】
（請求項６）
上記のベルト取付治具６は、更に、以下のように構成される。即ち、クランクプーリ２の各側面２ｃに対して当接する一対の当接部（第一当接部１０、第二当接部１１）を更に備えた。以上の構成によれば、クランクプーリ２の外周に対する前記ベルト取付治具６の位置決めが高いレベルで実現される。
【００５０】
（請求項８）
また、上記のベルト取付治具６は、以下のようにして用いる。（ａ）上記Ｖリブドベルト４をオルタネータプーリ３に掛巻すると共に、上記Ｖリブドベルト４が、前記プーリ押圧部７のプーリ径方向外側から前記ベルト押さえ部９のプーリ径方向内側を通過し、更に、前記ベルト保持部８に引っ掛けられた状態となるように、上記のベルト取付治具６をクランクプーリ２の外周に設置する。（ｂ）クランクプーリ２の外周に上記Ｖリブドベルト４が掛巻される掛巻角度θが大きくなるように、クランクプーリ２を回転させる。以上の方法によれば、上記文献１の構成で要求される取付部の取り付け作業のような難解な作業をすることなく、前記のクランクプーリ２とオルタネータプーリ３の間に前記Ｖリブドベルト４を掛巻できる。
【００５１】
（第二実施形態）
次に、図１５を参照しつつ、本願発明の第二実施形態を説明する。以下、本実施形態が上記第一実施形態と相違する点を中心に説明し、重複する説明は適宜、割愛する。
【００５２】
即ち、上記第一実施形態では、板部７ａのクランクプーリ２側に、内周面が平坦な摩擦部材７ｂを設けることとした。しかし、この摩擦部材７ｂに代えて、クランクプーリ２のプーリ溝２ａに対して嵌合可能な嵌合突起７ｃを設けてもよい。
【００５３】
（まとめ）
（請求項３）
以上説明したように上記実施形態において上記のベルト取付治具６は、更に、以下のように構成される。即ち、前記プーリ押圧部７は、クランクプーリ２側に、クランクプーリ２が外周に有するプーリ溝２ａに対して嵌合する嵌合突起７ｃを有する。以上の構成によれば、クランクプーリ２に対する前記ベルト取付治具６の位置ズレを高いレベルで抑制することができる。特に、クランクプーリ２に対するベルト取付治具６のプーリ軸方向における位置ズレを極めて高いレベルで抑制することができる。
【００５４】
（第三実施形態）
次に、図１６を参照しつつ、本願発明の第三実施形態を説明する。以下、本実施形態が上記第一実施形態と相違する点を中心に説明し、重複する説明は適宜、割愛する。
【００５５】
即ち、上記第一実施形態では、板部７ａのクランクプーリ２側に、摩擦部材７ｂを設けることとしたが、これに代えて、図１６（ａ）や（ｂ）に示すように、プーリ軸方向においてプーリフランジ２ｂと当接可能なフランジ当接部７ｄを設けることとしてもよい。そして、このフランジ当接部７ｄは、折り曲げ加工によって、板部７ａと一体的に形成することが好ましい。このフランジ当接部７ｄ（及び板部７ａ）の厚みは、プーリフランジ２ｂのプーリ溝２ａからの突出高さｈと等しくなっており、従って、フランジ当接部７ｄは、プーリ溝２ａと一対のプーリフランジ２ｂによって区画される空間にちょうど収容され、プーリ溝２ａとプーリフランジ２ｂに対して接触する。
【００５６】
（まとめ）
（請求項４）
以上説明したように本実施形態において、ベルト取付治具６は、更に、以下のように構成される。即ち、クランクプーリ２は、プーリ溝２ａと、このプーリ溝２ａよりプーリ径方向外側へ突出するプーリフランジ２ｂと、を外周に有する。前記プーリ押圧部７は、クランクプーリ２側に、プーリ軸方向において前記プーリフランジ２ｂと当接可能なフランジ当接部７ｄを有する。以上の構成によれば、クランクプーリ２に対する前記ベルト取付治具６のプーリ軸方向における位置ズレを高いレベルで抑制することができる。
【００５７】
（請求項５）
上記のベルト取付治具６は、更に、以下のように構成される。即ち、前記フランジ当接部７ｄは、折り曲げ加工により形成される。以上の構成によれば、前記フランジ当接部７ｄを低コストで形成することができる。
【００５８】
（第四実施形態）
次に、図１７〜２０を参照しつつ、第四実施形態に係るベルト取付治具２０６の構成を説明する。なお、第一実施形態と同様の箇所は説明を省略して説明する。図１７（ａ）〜（ｄ）は、夫々、ベルト取付治具２０６を異なる方向から見た斜視図である。このように図１７には、コンパクトであってまとまりよく形成されたベルト取付治具２０６が様々な方向から描かれている。図１８は、クランクプーリ２の外周にベルト取付治具２０６が設置された状態を示す図である。図１９は、クランクプーリ２の外周にベルト取付治具２０６が設置され、Ｖリブドベルト４がセットされた状態を示す図である。図２０は、ベルト取付治具２０６の使用方法の説明図である。
【００５９】
図１７〜１８に示されるように、このベルト取付治具２０６は、プーリ押圧部２０７と、ベルト保持部２０８と、ベルト押さえ部２０９と、を主たる構成として備える。このベルト取付治具２０６は、更に、第三当接部２１０（当接部）と、第四当接部２１１（当接部）と、を備える。このベルト取付治具２０６は、クランクプーリ２の外周に設置して使用するものであって、図１８に示すように、ベルト保持部２０８がプーリ押圧部２０７よりも第一回転方向Ａ側となりベルト押さえ部２０９がプーリ押圧部２０７よりも第二回転方向Ｂ側となるように向きを定めて用いる。以下、第一実施形態と同様に図１で定義した第一回転方向Ａと第二回転方向Ｂを適宜に用いて説明を行う。
【００６０】
上記のプーリ押圧部２０７やベルト保持部２０８、ベルト押さえ部２０９は、図１７〜１８に示すように、プーリ周方向に延びる連結部２１２によって相互に連結されている。この連結部２１２は、プーリ径方向においてクランクプーリ２とは重複せず、プーリ軸方向においてクランクプーリ２と隣接する位置で円弧状に板金形成されて成る。なお、図１８の状態にベルトを追加したものを図１９に示すので、以降にＶリブドベルト４に関する記述が出てきたときは、適宜、図１９も併せて参照されたい。
【００６１】
上記のプーリ押圧部２０７は、クランクプーリ２の外周（プーリ溝２ａに相当する。以下同様。）上に配置され、Ｖリブドベルト４が掛けられて、このＶリブドベルト４の張力によってクランクプーリ２の外周に対して押圧されるものである。このプーリ押圧部２０７は、連結部２１２と一体的に形成されている。
【００６２】
上記のベルト保持部２０８は、プーリ押圧部２０７に掛けられたＶリブドベルト４のうちクランクプーリ２の外周上から外れている部分４ａ（図１９参照）を引っ掛けて保持するものである。このベルト保持部２０８は、連結部２１２の第一回転方向Ａ側端部に配置され、連結部２１２と一体的に形成されている。このベルト保持部２０８の更に第一回転方向Ａ側端部には、上述した第三当接部２１０がベルト保持部２０８と一体的に形成されている。そして、ベルト保持部２０８と第三当接部２１０は、プーリ軸方向からみたとき、連結部２１２に対してクランクプーリ２の内側方向に折り曲がった形状をしている。また、第三当接部２１０の側面２１０ａは、クランクプーリ２の側面２ｃと面接触している。
【００６３】
上記のベルト押さえ部２０９は、クランクプーリ２の外周に対して対向するように配置され、上記プーリ押圧部２０７に掛けられた上記Ｖリブドベルト４のうちクランクプーリ２の外周上に沿わせている部分４ｂ（図１９参照）をクランクプーリ２の外周に対して押圧するものである。このベルト押さえ部２０９は、図１８に示すように連結部２１２の第二回転方向Ｂ側に配置されており、連結部２１２と一体的に形成されている。また、ベルト押さえ部２０９とクランクプーリ２の外周との間にはＶリブドベルト４の厚みに相当する間隙Ｓが確保されており、この間隙ＳにＶリブドベルト４が挿入されるようになっている。また、図１８に示すように、プーリ押圧部２０７とベルト押さえ部２０９の間には間隙Ｕが確保されている。これにより、図１９に示すように、プーリ押圧部２０７のプーリ径方向外側に掛けられたＶリブドベルト４はベルト押さえ部２０９のプーリ径方向内側に潜り込むことができるようになっている。
【００６４】
また、上記の第四当接部２１１は、連結部２１２の第二回転方向Ｂ側端部に配置され、連結部２１２と一体的に形成されている。そして、第四当接部２１１は、プーリ軸方向からみたとき、連結部２１２に対してクランクプーリ２の内側方向に折り曲がった形状をしている。また、この第四当接部２１１の側面２１１ａは、クランクプーリ２の側面２ｃと面接触している。なお、第四当接部２１１の中央付近には穴２３０が開けられている。この穴２３０には紐２３１を通すことが可能である。そして、この穴２３０に通された紐２３１をレンチ１３に結びつけることにより、ベルト取付治具６がレンチ１３から落下するのを防止することができる。
【００６５】
＜使用方法＞
次に、図１９〜図２０を参照しつつ、上記のベルト取付治具２０６の使用方法を説明する。先ず、図２０に示されるように、クランクプーリ２のボス部５にレンチ１３の円筒形状である連結部１３ａを連結し、クランクプーリ２を手動で自由に回転できるようにしておく。
【００６６】
次に、図１９及び図２０に示すように、上記Ｖリブドベルト４をオルタネータプーリ３に掛巻すると共に、上記Ｖリブドベルト４が、図１９に示すように、プーリ押圧部２０７のプーリ径方向外側からベルト押さえ部２０９のプーリ径方向内側を通過し、更に、ベルト保持部２０８に引っ掛けられた状態となるように、ベルト取付治具２０６をクランクプーリ２の外周に設置する。
【００６７】
上記の状態で、Ｖリブドベルト４は、図１９に示すように、ベルト保持部２０８からプーリ押圧部２０７を介してベルト押さえ部２０９に至るに際し、プーリ径方向で見てクランクプーリ２の外周とは平行でない斜めの経路を採る。この後の手順は第一実施形態と同様であるため説明を割愛する。
【００６８】
以上に説明したように、第四実施形態では、第三当接部２１０とベルト保持部２０８、連結部２１２、プーリ押圧部２０７、ベルト押さえ部２０９、第四当接部２１１は、鉄鋼板材を板金加工によって一体的に形成することでベルト取付治具２０６が構成されている。
【００６９】
また、上記の説明では、ベルト保持部２０８と第三当接部２１０を別部材として取り扱ったが、両者の明確な境界線は特に存在しないことに留意されたい。
【００７０】
（まとめ）
（請求項７）
上記のベルト取付治具２０６は、以下のように構成される。即ち、クランクプーリ２の片側面２ｃに対して当接する一対の当接部（第三当接部２１０、第四当接部２１１）を更に備えている。以上の構成によれば、図１８に示すように、第三当接部２１０の側面２１０ａと第四当接部２１１の側面２１１ａは、クランクプーリ２の片側面２ｃに当接することで、クランクプーリ２の外周に対するベルト取付治具２０６のプーリ軸方向における位置決めが実現される。また、第一実施形態とは異なり、第三当接部２１０の側面２１０ａと第四当接部２１１の側面２１１ａとが、クランクプーリ２の片側面２ｃにだけ当接するように構成されている。このため、第四実施形態に係るベルト取付治具２０６は、クランクプーリ２のプーリ軸方向の幅がプーリ押圧部２０７及びベルト押さえ部２０９のプーリ軸方向の幅よりもある程度大きいものでも利用が可能となる。即ち、ベルト取付治具２０６の汎用性を高めることができる。
【００７１】
（第五実施形態）
次に、図２１〜２２を参照しつつ、第五実施形態に係るベルト取付治具３０６の構成を説明する。なお、第四実施形態と同様の箇所は説明を省略し、相違する構成を中心に説明する。図２１（ａ）〜（ｄ）は、夫々、ベルト取付治具３０６を異なる方向から見た斜視図である。このように図２１には、コンパクトであってまとまりよく形成されたベルト取付治具３０６が様々な方向から描かれている。図２２は、クランクプーリ２の外周にベルト取付治具３０６が設置された状態を示す図である。
【００７２】
図２１〜２２に示されるように、このベルト取付治具３０６は、第四実施形態と同様に、プーリ押圧部３０７と、ベルト保持部３０８と、ベルト押さえ部３０９と、を主たる構成として備える。プーリ押圧部３０７やベルト保持部３０８、ベルト押さえ部３０９は、図２２に示すように、プーリ周方向に延びる連結部３１２によって相互に連結されている。このベルト取付治具３０６は、更に、第三当接部３１０（当接部）と、第四当接部３１１（当接部）と、を備える。
【００７３】
そして、第四実施形態とは異なり、ベルト押さえ部３０９の連結部３１２と反対側の端部には、図２１〜２２に示すように、第六当接部３１６が形成されている。この第六当接部３１６は、ベルト押さえ部３０９と一体的に形成されており、クランクプーリ２の側面２ｃと面接触できるようにベルト押さえ部３０９に対して直角の関係となっている。
【００７４】
以上に説明したように、第五実施形態では、図２１及び図２２に示すように、ベルト押さえ部３０９に第六当接部３１６が形成されているところに特徴がある。この第六当接部３１６と第三当接部３１０及び第四当接部３１１とが、クランクプーリ２をプーリ軸方向において挟み、この第六当接部３１６と第三当接部３１０及び第四当接部３１１とがクランクプーリ２の各側面２ｃに当接することで、クランクプーリ２の外周に対するベルト取付治具３０６のプーリ軸方向における高度な位置決めが実現されている。
【００７５】
（第六実施形態）
次に、図２３〜２４を参照しつつ、第六実施形態に係るベルト取付治具４０６の構成を説明する。なお、第四実施形態と同様の箇所は説明を省略し、相違する構成を中心に説明する。図２３（ａ）〜（ｄ）は、夫々、ベルト取付治具４０６を異なる方向から見た斜視図である。このように図２３には、コンパクトであってまとまりよく形成されたベルト取付治具４０６が様々な方向から描かれている。図２４は、クランクプーリ２の外周にベルト取付治具４０６が設置された状態を示す図である。
【００７６】
図２３〜２４に示されるように、このベルト取付治具４０６は、第四実施形態と同様に、プーリ押圧部４０７と、ベルト保持部４０８と、ベルト押さえ部４０９と、を主たる構成として備える。プーリ押圧部４０７やベルト保持部４０８、ベルト押さえ部４０９は、図２４に示すように、プーリ周方向に延びる連結部４１２によって相互に連結されている。このベルト取付治具４０６は、更に、第三当接部４１０（当接部）と、第四当接部４１１（当接部）と、を備える。
【００７７】
そして、第四実施形態とは異なり、プーリ押圧部４０７は、図２３に示すように、クランクプーリ２の外周と接するようにクランクプーリ２側に２箇所の折り目４０７ａ・４０７ｂに沿って折り曲げられた形状をしている。即ち、プーリ押圧部４０７の内周面４０７ｃが、プーリフランジ２ｂのプーリ溝２ａからの突出高さ分だけクランクプーリ２の外周に接近した状態になる。そして、プーリ押圧部４０７の内周面４０７ｃとクランクプーリ２の外周との間の摩擦力を向上させるために、プーリ押圧部４０７はクランクプーリ２の外周に対する接触面積を十分に確保すべく円弧状に形成され、その内周面４０７ｃは平坦とされ、プーリ溝２ａの幅に相当する幅を有する。
【００７８】
また、ベルト押さえ部４０９も、図２３に示すように、クランクプーリ２側に２箇所の折り目４０９ａ・４０９ｂに沿って折り曲げられた形状をしている。また、ベルト押さえ部４０９の内周面４０９ｃとクランクプーリ２の外周との間にはＶリブドベルト４の厚みに相当する間隙Ｓが確保されており、この間隙ＳにＶリブドベルト４が挿入されるようになっている。なお、ベルト押さえ部４０９の内周面４０９ｃは、プーリフランジ２ｂのプーリ溝２ａからの突出高さ分から間隙Ｓ分を引いた距離だけクランクプーリ２の外周に接近した状態になっている。
【００７９】
以上に説明したように、第六実施形態では、図２３及び図２４に示すように、プーリ押圧部４０７及びベルト押さえ部４０９が、クランクプーリ２側に２箇所の折り目４０７ａ・４０７ｂ（折り目４０９ａ・４０９ｂ）に沿って折り曲げられた形状をしているところに特徴がある。以上の構成によれば、図２に示すように、クランクプーリ２のプーリ溝２ａとプーリフランジ２ｂとの間に段差がある場合でも、プーリ押圧部４０７の２箇所の折り目４０７ａ・４０７ｂをプーリフランジ２ｂのプーリ溝２ａからの突出高さ分だけ折り曲げることで、プーリ押圧部４０７の内周面４０７ｃをクランクプーリ２の外周に当接させることができる。即ち、プーリ押圧部４０７とクランクプーリ２の外周とが当接するので、クランクプーリ２にベルト取付治具４０６を安定的に設置することができる。また、同様に、ベルト押さえ部４０９の２箇所の折り目４０９ａ・４０９ｂを折り曲げることで、ベルト押さえ部４０９の内周面４０９ｃをＶリブドベルト４ｂに当接させることができる。即ち、ベルト押さえ部４０９とクランクプーリ２の外周に沿わせたＶリブドベルト４ｂとが当接するので、クランクプーリ２にベルト取付治具４０６を安定的に設置することができる。
【００８０】
（第七実施形態）
次に、図２５〜２６を参照しつつ、第七実施形態に係るベルト取付治具５０６の構成を説明する。なお、第六実施形態と同様の箇所は説明を省略し、相違する構成を中心に説明する。図２５（ａ）〜（ｄ）は、夫々、ベルト取付治具５０６を異なる方向から見た斜視図である。このように図２５には、コンパクトであってまとまりよく形成されたベルト取付治具５０６が様々な方向から描かれている。図２６は、クランクプーリ２の外周にベルト取付治具５０６が設置された状態を示す図である。
【００８１】
図２５〜２６に示されるように、このベルト取付治具５０６は、第六実施形態と同様に、プーリ押圧部５０７と、ベルト保持部５０８と、ベルト押さえ部５０９と、を主たる構成として備える。プーリ押圧部５０７やベルト保持部５０８、ベルト押さえ部５０９は、図２５に示すように、プーリ周方向に延びる連結部５１２によって相互に連結されている。このベルト取付治具５０６は、更に、第三当接部５１０（当接部）と、第四当接部５１１（当接部）と、を備える。また、プーリ押圧部５０７は、図２５に示すように、クランクプーリ２の外周と接するようにクランクプーリ２側に２箇所の折り目５０７ａ・５０７ｂに沿って折り曲げられた形状をしている。また、ベルト押さえ部５０９も、図２５に示すように、クランクプーリ２側に２箇所の折り目５０９ａ・５０９ｂに沿って折り曲げられた形状をしている。
【００８２】
そして、第六実施形態とは異なり、プーリ押圧部５０７の連結部５１２と反対側の端部には、図２５〜２６に示すように、第五当接部５１５が形成されている。この第五当接部５１５は、プーリ押圧部５０７と一体的に形成されており、クランクプーリ２の側面２ｃと面接触できるようにプーリ押圧部５０７に対して直角の関係となっている。また、ベルト押さえ部５０９の連結部５１２と反対側の端部には、図２５〜２６に示すように、第六当接部５１６が形成されている。この第六当接部５１６は、ベルト押さえ部５０９と一体的に形成されており、クランクプーリ２の側面２ｃと面接触できるようにベルト押さえ部５０９に対して直角の関係となっている。
【００８３】
以上に説明したように、第七実施形態では、図２５及び図２６に示すように、プーリ押圧部５０７及びベルト押さえ部５０９にそれぞれ第五当接部５１５及び第六当接部５１６が形成されているところに特徴がある。この第五当接部５１５及び第六当接部５１６と第三当接部５１０及び第四当接部５１１とが、クランクプーリ２をプーリ軸方向において挟み、これら第五当接部５１５及び第六当接部５１６と第三当接部５１０及び第四当接部５１１とがクランクプーリ２の各側面２ｃに当接することで、クランクプーリ２の外周に対するベルト取付治具５０６のプーリ軸方向における高度な位置決めが実現されている。
【００８４】
（第八実施形態）
次に、図２７〜２８を参照しつつ、第八実施形態に係るベルト取付治具６０６の構成を説明する。なお、第四実施形態と同様の箇所は説明を省略し、相違する構成を中心に説明する。図２７（ａ）〜（ｄ）は、夫々、ベルト取付治具６０６を異なる方向から見た斜視図である。このように図２７には、コンパクトであってまとまりよく形成されたベルト取付治具６０６が様々な方向から描かれている。図２８は、クランクプーリ２の外周にベルト取付治具６０６が設置された状態を示す図である。
【００８５】
図２７〜２８に示されるように、このベルト取付治具６０６は、第四実施形態と同様に、プーリ押圧部６０７と、ベルト保持部６０８と、ベルト押さえ部６０９と、を主たる構成として備える。プーリ押圧部６０７やベルト保持部６０８、ベルト押さえ部６０９は、図２７に示すように、プーリ周方向に延びる連結部６１２によって相互に連結されている。
【００８６】
そして、このベルト取付治具６０６は、第四実施形態と異なり、第三当接部６１０（当接部）だけを備える。また、第四実施形態とは異なり、ベルト押さえ部６０９の連結部６１２と反対側の端部には、図２７〜２８に示すように、第六当接部６１６が形成されている。この第六当接部６１６は、ベルト押さえ部６０９と一体的に形成されており、クランクプーリ２の側面２ｃと面接触できるようにベルト押さえ部６０９に対して直角の関係となっている。
【００８７】
以上に説明したように、第八実施形態では、図２７及び図２８に示すように、クランクプーリ２の各側面２ｃに対して当接する一対の当接部としての第三当接部６１０と第六当接部６１６とを備えたところに特徴がある。この第三当接部６１０と第六当接部６１６とが、クランクプーリ２をプーリ軸方向において挟み、これら第三当接部６１０と第六当接部６１６とがクランクプーリ２の各側面２ｃに当接することで、クランクプーリ２の外周に対するベルト取付治具６０６のプーリ軸方向における高度な位置決めが実現されている。
【００８８】
以上に、本願発明の好適な実施形態を説明したが、以下のようにして変更して実施することができる。
【００８９】
即ち、第一実施形態において、図６（ａ）に示されるベルト押さえ部９の肉盛り部９ｂや、図６（ｂ）に示されるプーリ押圧部７の摩擦部材７ｂは省略してもよい。
【００９０】
また、第一実施形態において摩擦部材７ｂを、第二実施形態において嵌合突起７ｃを、第三実施形態においてフランジ当接部７ｄを、夫々説明したが、これら７ｂ〜７ｄの特長は、適宜に組み合わせて実施することができる。即ち、例えば、嵌合突起７ｃやフランジ当接部７ｄに、クランクプーリ２の外周に対する摩擦力を向上する表面処理を施してもよい。また、摩擦部材７ｂやフランジ当接部７ｄに、クランクプーリ２のプーリ溝２ａと嵌合可能な突起を設けてもよい。また、既に図７（ｂ）や図１５で示したように、摩擦部材７ｂや嵌合突起７ｃに、プーリ軸方向においてプーリフランジ２ｂと当接する幾何学的関係を導入してもよい。
【符号の説明】
【００９１】
２  クランクプーリ
３  オルタネータプーリ
４  Ｖリブドベルト
６  ベルト取付治具
７  プーリ押圧部
８  ベルト保持部
９  ベルト押さえ部
【図１】
2010249312.tif 000003
【図２】
2010249312.tif 000004
【図３】
2010249312.tif 000005
【図４】
2010249312.tif 000006
【図５】
2010249312.tif 000007
【図６】
2010249312.tif 000008
【図７】
2010249312.tif 000009
【図８】
2010249312.tif 000010
【図９】
2010249312.tif 000011
【図１０】
2010249312.tif 000012
【図１１】
2010249312.tif 000013
【図１２】
2010249312.tif 000014
【図１３】
2010249312.tif 000015
【図１４】
2010249312.tif 000016
【図１５】
2010249312.tif 000017
【図１６】
2010249312.tif 000018
【図１７】
2010249312.tif 000019
【図１８】
2010249312.tif 000020
【図１９】
2010249312.tif 000021
【図２０】
2010249312.tif 000022
【図２１】
2010249312.tif 000023
【図２２】
2010249312.tif 000024
【図２３】
2010249312.tif 000025
【図２４】
2010249312.tif 000026
【図２５】
2010249312.tif 000027
【図２６】
2010249312.tif 000028
【図２７】
2010249312.tif 000029
【図２８】
2010249312.tif 000030